(57)【要約】【課題】  高所での作業、狭いスペースでの作業及び大重量物の吊り上げ作業等を回避でき、しかも、コンクリート打設時の転倒の虞がなく、而して、簡単に且つ速やかに施工することができる橋梁用ストッパの設置方法を提供すること。【解決手段】  橋梁用ストッパの設置方法では、中空部３５に連通する開口３２を上面３６に有した棒状体３０並びに開口３２に連通する貫通孔５１を有していると共に棒状体３０の上端部３８を覆っている緩衝材５０を具備しているストッパ２０と、棒状体３０の上端部３８に装着されたアイボルト７０とを具備した組み合わせ体９０を準備し、棒状体３０を下部構造Ｂに設置し、棒状体３０を下部構造Ｂに設置する際に、貫通孔５１及び開口３２を介して中空部３５にコンクリート１０１を打設し、打設後、アイボルト７０を棒状体３０から取り外して、緩衝材５０の周りに上部構造Ｇを設置する。【選択図】図１
2006152651.tif 000002
【特許請求の範囲】
【請求項１】
中空部及びこの中空部に連通する開口を上面に有した棒状体並びにこの棒状体の開口に連通する貫通孔を有していると共に上部構造の下部構造に対する相対的な変位に基づく上部構造の棒状体に対する衝突を緩衝すべく当該棒状体の上端部を覆っている緩衝材を具備しているストッパと、緩衝材を貫通して棒状体の上端部に取り外し自在に装着された吊り具とを具備した組み合わせ体を準備し、吊り具に吊り上げ力を与えて組み合わせ体を吊り上げ、吊り上げた組み合わせ体の棒状体を下部構造に予め形成された凹所に挿入し、棒状体及び凹所間の空間に充填材を充填することにより棒状体を下部構造に設置し、棒状体を下部構造に設置する際又は棒状体を下部構造に設置した後に、貫通孔及び開口を介して棒状体の中空部にコンクリートを打設し、棒状体の中空部へのコンクリート打設後、吊り具を棒状体の上端部から取り外して、緩衝材の周りに上部構造を設置する橋梁用ストッパの設置方法。
【請求項２】
棒状体の凹所への挿入後であって充填材の充填前若しくは充填後に又は充填材の充填と併行して、貫通孔及び開口を介して棒状体の中空部にコンクリートを打設する請求項１に記載の橋梁用ストッパの設置方法。
【請求項３】
ストッパは、棒状体と緩衝材との間に介装されていると共に棒状体の開口と緩衝材の貫通孔とを連通させる連通孔を有しているスポンジゴムを更に具備しており、棒状体の中空部へのコンクリート打設は、貫通孔、連通孔及び開口を介して行われる請求項１又は２に記載の橋梁用ストッパの設置方法。
【請求項４】
棒状体の一端部には、少なくとも二つの吊り具が装着されている請求項１から３のいずれか一項に記載の橋梁用ストッパの設置方法。
【請求項５】
二つの吊り具は、貫通孔を間にして互いに対向している請求項４に記載の橋梁用ストッパの設置方法。
【請求項６】
吊り具は、一端で棒状体に設けられたナットに解除自在に螺着され且つ他端で緩衝材の上面に接するアイボルトからなる請求項１から５のいずれか一項に記載の橋梁用ストッパの設置方法。
【発明の詳細な説明】
【技術分野】
【０００１】
本発明は、橋脚、橋台等の下部構造と、この下部構造に一方の端部が可動支承を介して支承され、他方の端部が固定支承を介して支承される橋桁等の上部構造とからなる橋梁構造において、上部構造と下部構造との間に介装され、地震時等における上部構造の許容量以上の変位を禁止する橋梁用ストッパ、特に固定支承側に設置されて好適な橋梁用ストッパの設置方法に関する。
【背景技術】
【０００２】
【特許文献１】実公平３−４２０８９号公報
【０００３】
例えば特許文献１においては、地震時等における橋桁等の上部構造の急激な変位に伴う橋脚、橋台等の下部構造からの脱落を阻止するために上部構造と下部構造との間にストッパが設置されてなる橋梁構造が提案されている。
【０００４】
図８から図１１はストッパＳの一例を示している。ストッパＳは、コンクリートが充填される中空部Ｐを有していると共に鉛直方向Ｖに伸びている横断面方形状の棒状体１と、棒状体１の上端面２に固着されているスポンジゴム３と、スポンジゴム３を含む棒状体１の上端部に被冠されたゴムキャップ５と、棒状体１の下端部の内面に固着された一本の鋼棒６とを具備している。斯かるストッパＳは、図１１に示すように、棒状体１の上端部側で上部構造Ｇに埋設固定され、棒状体１の下端部側で下部構造Ｂに埋設固定されている。棒状体１の上端面２に固着されたスポンジゴム３は、鉛直方向Ｖに関して上部構造Ｇの棒状体１に対する衝突を緩衝する緩衝材としての役割と、上部構造Ｇの下部構造Ｂに対する回転変位を固定支承によって許容する際には、固定支承の回転動作に追従すべく弾性変形を生じて上部構造Ｇの下部構造Ｂに対する円滑な回転変位を許容する役割とを担っている。
【０００５】
この従来のストッパＳの上部構造Ｇ及び下部構造Ｂへの設置方法は次の通りである。まず、棒状体１の上端面２の裏面に雌ねじ部を有する袋ナット７を固定し、袋ナット７にアイボルト８を螺合固定する。次に、棒状体１の下端部に固着された鋼棒６を把持して棒状体１を吊り上げ、上下反転させて棒状体１の下端部に設けられた開口を上端部よりも一時的に上方に配し、倒立させる。当該倒立の際には、棒状体１の下端部よりも一時的に下方に配されたスポンジゴム３及びゴムキャップ５が傷つかないように仮固定治具を準備しておく。このような状態で、上方に配された棒状体１の開口から中空部Ｐにコンクリートを打設し、固化させる。固化後、棒状体１を再び上下反転させ、アイボルト８にロープを掛け渡して棒状体１を吊り上げ、吊り上げた棒状体１を予め下部構造Ｂに設けられた箱抜き穴Ｈに挿入し、棒状体１と箱抜き穴Ｈとの隙間を埋めて棒状体１を下部構造Ｂに埋設固定し、当該埋設固定後、棒状体１の上端部を上部構造Ｇに埋設固定する。
【発明の開示】
【発明が解決しようとする課題】
【０００６】
ところで、斯かるストッパＳの設置方法では、棒状体１を一時的に上下反転させて棒状体１の上端面２に固着されたスポンジゴム３側を下方にして仮固定した状態で、棒状体１の中空部Ｐにコンクリートを打設するために、高所作業となる上に、中空部Ｐにコンクリートが打設されて重量が増した棒状体１を下部構造Ｂに設置すべく吊り上げることとなる結果、簡単に且つ速やかに施工することが困難であり、また、施工現場において打設作業用の広い領域を確保する必要が生じると共に、中空部Ｐへのコンクリート打設時におけるストッパＳの転倒防止等の安全性を十分に考慮する必要がある。また、棒状体１の中空部Ｐへのコンクリート打設時に下方に配されるスポンジゴム３やゴムキャップ５に傷がつかないように配慮する必要もある。
【０００７】
本発明は、前記諸点に鑑みてなされたものであり、その目的とするところは、高所での作業、狭いスペースでの作業及び大重量物の吊り上げ作業等を回避でき、しかも、コンクリート打設時の転倒の虞がなく、而して、簡単に且つ速やかに施工することができる橋梁用ストッパの設置方法を提供することにある。
【課題を解決するための手段】
【０００８】
本発明の橋梁用ストッパの設置方法は、中空部及びこの中空部に連通する開口を上面に有した棒状体並びにこの棒状体の開口に連通する貫通孔を有していると共に上部構造の下部構造に対する相対的な変位に基づく上部構造の棒状体に対する衝突を緩衝すべく当該棒状体の上端部を覆っている緩衝材を具備しているストッパと、緩衝材を貫通して棒状体の上端部に取り外し自在に装着された吊り具とを具備した組み合わせ体を準備し、吊り具に吊り上げ力を与えて組み合わせ体を吊り上げ、吊り上げた組み合わせ体の棒状体を下部構造に予め形成された凹所に挿入し、棒状体及び凹所間の空間に充填材を充填することにより棒状体を下部構造に設置し、棒状体を下部構造に設置する際又は棒状体を下部構造に設置した後に、貫通孔及び開口を介して棒状体の中空部にコンクリートを打設し、棒状体の中空部へのコンクリート打設後、吊り具を棒状体の上端部から取り外して、緩衝材の周りに上部構造を設置する。
【０００９】
本発明の橋梁用ストッパの設置方法によれば、棒状体及び緩衝材が開口及び貫通孔を具備しているために、ストッパを上下反転させないで緩衝材及び棒状体の貫通孔及び開口を介して中空部にコンクリートを打設することができ、棒状体の下部構造への設置の際や当該設置後に、棒状体の中空部にコンクリートを打設することで、棒状体の中空部に未だコンクリートが打設されていない軽量なストッパを吊り具を介して吊り上げることができる結果、高所での作業、狭いスペースでの作業及び大重量物の吊り上げ作業等を回避でき、しかも、コンクリート打設時の転倒の虞がなく、而して、簡単に且つ速やかに施工することができる。また、吊り具が緩衝材を貫通して棒状体の上端部に取り外し自在に装着されているために、棒状体の下部構造への設置後であって上部構造の緩衝材周りへの設置前に吊り具を棒状体から容易に取り外すことができることからも、簡単に且つ速やかに施工することができる。
【００１０】
本発明の橋梁用ストッパの設置方法の好ましい例では、棒状体の凹所への挿入後であって充填材の充填前若しくは充填後に又は充填材の充填と併行して、貫通孔及び開口を介して棒状体の中空部にコンクリートを打設するようになっており、斯かる例によれば、ストッパのより速やかな施工を行い得る。
【００１１】
本発明の橋梁用ストッパの設置方法の好ましい他の例では、ストッパは、棒状体と緩衝材との間に介装されていると共に棒状体の開口と緩衝材の貫通孔とを連通させる連通孔を有しているスポンジゴムを更に具備しており、棒状体の中空部へのコンクリート打設は、貫通孔、連通孔及び開口を介して行われるようになっている。
【００１２】
本発明の橋梁用ストッパの設置方法の好ましい他の例では、棒状体の一端部には、少なくとも二つの吊り具が装着されており、好ましい更に他の例では、二つの吊り具は、貫通孔を間にして互いに対向しており、これらの例によれば、組み合わせ体の吊り上げ時等における緩衝材及び棒状体の相互の位置ずれを確実に防止し得ると共に、組み合わせ体の吊り上げをも容易に行い得る。
【００１３】
本発明の橋梁用ストッパの設置方法では、吊り具は、一端で棒状体に設けられたナットに解除自在に螺着され且つ他端で緩衝材の上面に接するアイボルトからなっていてもよい。
【発明の効果】
【００１４】
本発明によれば、高所での作業、狭いスペースでの作業及び大重量物の吊り上げ作業等を回避でき、しかも、コンクリート打設時の転倒の虞がなく、而して、簡単に且つ速やかに施工することができる橋梁用ストッパの設置方法を提供し得る。
【発明を実施するための最良の形態】
【００１５】
次に、本発明の実施の形態の例を、図に示す例に基づいて更に詳細に説明する。尚、本発明はこれら例に何等限定されないのである。
【実施例】
【００１６】
図１から図７において、本例の橋梁用ストッパ（以下、ストッパと称する）２０は、特に図７に示すように、橋脚等からなる下部構造Ｂと一端部で下部構造Ｂに可動支承（図示せず）を介して支承され且つ他端部で下部構造Ｂに固定支承（固定支承）を介して支承される橋桁等からなる上部構造Ｇとの間に介装される。地震時等における上部構造Ｇの下部構造Ｂに対する相対的な変位の許容量が少ないストッパ２０は、橋梁の固定端用のストッパとして下部構造Ｂ及び上部構造Ｇ間であって固定支承側に配設されるのが好ましい。
【００１７】
ストッパ２０は、一端部（上端部）３８が上部構造Ｇに埋設固定され、他端部（下端部）３９が橋脚等の下部構造Ｂ側に埋設固定されている。ストッパ２０は、中空部３５及び中空部３５に連通する開口３２を上面３６に有した棒状体３０と、棒状体３０の開口３２に連通する貫通孔５１を有していると共に上部構造Ｇの下部構造Ｂに対する相対的な変位に基づく上部構造Ｇの棒状体３０に対する衝突を緩衝すべく当該棒状体３０の上端部３８を覆っている緩衝材５０と、棒状体３０と緩衝材５０との間に介装されていると共に棒状体３０の開口３２と緩衝材５０の貫通孔５１とを連通させる連通孔４１を有しているスポンジゴム４０とを具備している。
【００１８】
鉛直方向Ｖに伸びた鋼製の横断面方形状の棒状体３０は、中空部３５に連通する開口３２を有した上壁３３、下壁３４並びに四周の側壁３１ａ、３１ｂ、３１ｃ及び３１ｄを具備しており、側壁３１ａ、３１ｂ、３１ｃ及び３１ｄは、溶接等により夫々の側縁で互いに一体的に連結されていると共に溶接等により夫々の上縁及び下縁で上壁３３及び下壁３４の周縁に一体的に連結されている。上壁３３及び下壁３４は、略矩形状であり、側壁３１ａ、３１ｂ、３１ｃ及び３１ｄは、矩形状であって鉛直方向Ｖに伸びている。側壁３１ａ及び３１ｂは、橋軸方向Ｘで互いに対向しており、側壁３１ｃ及び３１ｄは、橋軸直角方向Ｙで互いに対向している。中空部３５は、上壁３３、下壁３４並びに側壁３１ａ、３１ｂ、３１ｃ及び３１ｄの夫々の内面に画されている。
【００１９】
棒状体３０の上壁３３には、当該上壁３３の対角線上であって開口３２を挟む位置に少なくとも二つの孔、本例では四つの図６に示す円孔３７が形成されている。二つの円孔３７は、開口３２、連通孔４１及び貫通孔５１を間にして棒状体３０の上面３６の対角線上に配されており、他の二つの円孔３７は、開口３２、連通孔４１及び貫通孔５１を間にして棒状体３０の上面３６の他の対角線上に配されている。円孔３７は、当該円孔３７の上方に位置するスポンジゴム４０及び緩衝材５０に夫々形成された図６に示す円孔４２及び５２に連通している。円孔３７、４２及び５２には、アイボルト７０が挿入されるように構成されている。
【００２０】
棒状体３０の上壁３３の内面（下面）には、雌ねじ部６１を有していると共に開口部６２が円孔３７に連通するように配された袋ナット６０が固着されている。袋ナット６０の雌ねじ部６１は、上壁３３、スポンジゴム４０及び緩衝材５０の円孔３７、４２及び５２を貫通していると共に緩衝材５０の上面に当接したアイボルト７０の雄ねじ部７３と螺合するようになっている。
【００２１】
横断面方形状のスポンジゴム４０は、棒状体３０の上面３６側で開口３２を囲繞するように棒状体３０の上壁３３の上面３６に固着されている。スポンジゴム４０は、上部構造Ｇの荷重を棒状体３０に直接伝達させない緩衝材としての役割と、上部構造Ｇの回転変位を固定支承によって許容する際に弾性変形して固定支承の動きに追従し、上部構造Ｇの回転を円滑に許容する役割とを果たす。
【００２２】
ゴム弾性体からなる緩衝材５０は、ゴムキャップ状であり、スポンジゴム４０の外周面及び上面並びに棒状体３０の上端部３８における外面を覆っている。緩衝材５０の鉛直方向Ｖにおける長さは、棒状体３０が上部構造Ｇに埋設固定された際に緩衝材５０の下端と上部構造Ｇの下面とが一致する程度であるのが好ましい。
【００２３】
以上のストッパ２０は、緩衝材５０及びスポンジゴム４０を貫通して棒状体３０の上端部３８に取り外し自在に装着された吊り具としてのアイボルト７０と組み合わせられることにより組み合わせ体９０を構成する。
【００２４】
少なくとも二つ、本例では四つのアイボルト７０は、ロープ等（図示せず）に掛け渡されるリング部７１と、リング部７１に一体的に設けられていると共に緩衝材５０の上面に当接する当接部７２と、当接部７２に一体的に設けられていると共に鉛直方向Ｖに伸びている雄ねじ部７３とを具備している。アイボルト７０の夫々は、雄ねじ部７３が配されている一端で棒状体３０の上壁３３の内面に溶接等により固着された袋ナット６０に解除自在に螺着され且つ当接部７２が配されている他端で緩衝材５０の上面に当接するようになっている。
【００２５】
貫通孔５１、連通孔４１及び開口３２を間にして棒状体３０の上壁３３の対角線上に配された二つのアイボルト７０を結ぶ線は、貫通孔５１、連通孔４１及び開口３２を間にして棒状体３０の上壁３３の対角線上に配された他の二つのアイボルト７０を結ぶ線に対して直交している。
【００２６】
リング部７１は、アイボルト７０が棒状体３０に装着されている際には緩衝材５０の上方に配されている。当接部７２は、雄ねじ部７３が袋ナット６０の雌ねじ部６１に螺合している際に緩衝材５０の上面に当接するように配されている。雄ねじ部７３は、棒状体３０の上壁３３、スポンジゴム４０及び緩衝材５０の円孔３７、４２及び５２を貫通して袋ナット６０の雌ねじ部６１に螺合するように形成されている。
【００２７】
本例のストッパ２０は、次のようにして橋桁等からなる上部構造Ｇと橋脚、橋台等からなる下部構造Ｂとの間に介装される。まず、特に図１から図４に示すように、ストッパ２０とアイボルト７０とが上述のように組み合わされてなる組み合わせ体９０を準備する。
【００２８】
次に、準備した組み合わせ体９０のアイボルト７０の夫々にロープ（図示せず）を掛け渡し、掛け渡したロープをクレーン等の吊り上げ手段（図示せず）に係合させ、当該吊り上げ手段によりアイボルト７０に吊り上げ力を与えて組み合わせ体９０を吊り上げる。
【００２９】
次に、吊り上げた組み合わせ体９０の棒状体３０を、下部構造Ｂに予め形成された凹所、本例では箱抜きされた箱抜き穴Ｈに対して位置決めしながら図５に示す箱抜き穴Ｈに挿入し、箱抜き穴Ｈ及び棒状体３０間の空間Ｚに充填材を充填、本例ではコンクリート（無収縮モルタル）１０１を打設し、而して、棒状体３０を図５に示すように下部構造Ｂに設置する。
【００３０】
棒状体３０を下部構造Ｂに設置する際又は棒状体３０を下部構造Ｂに設置した後には、棒状体３０の強度を補強すべく、貫通孔５１、連通孔４１及び開口３２を介して棒状体３０の中空部３５にコンクリート１０１を打設する。斯かる中空部３５へのコンクリート１０１の打設は、棒状体３０の箱抜き穴Ｈへの挿入後であって空間Ｚへのコンクリート１０１の打設前若しくは打設後に又は当該打設と併行して行ってもよい。尚、箱抜き穴Ｈと箱抜き穴Ｈに位置決めされた棒状体３０との間の空間Ｚにコンクリート１０１を打設する際、打設の圧力等で施工位置に誤差を生じる虞がある場合は、棒状体３０の中空部３５内にコンクリート１０１を打設した後に、空間Ｚにコンクリート１０１を打設してもよい。
【００３１】
打設後であって固化した後、特に図６に示すように、アイボルト７０の袋ナット６０への螺着を解除して当該アイボルト７０を組み合わせ体９０から取り外し、円孔３７、４２及び５２に閉塞栓８５を嵌め込んで当該円孔３７、４２及び５２を閉塞する一方、円柱状の突出部８１と突出部８１の一方の端部に一体的に形成された環状鍔部８２とを具備した蓋部材８０を用意し、蓋部材８０の突出部８１を棒状体３０の上壁３３の上方に位置せしめられた緩衝材５０及びスポンジゴム４０の貫通孔５１及び連通孔４１に嵌め込み、突出部８１の下面を棒状体３０の上壁３３の上面３６に当接させると共に環状鍔部８２の下面を緩衝材５０の上面に当接させ、このようにして、緩衝材５０の貫通孔５１、スポンジゴム４０の連通孔４１及び上壁３３の開口３２を蓋部材８０により閉塞する。
【００３２】
次に、上部構造Ｇの下面と緩衝材５０の下端面とが面一となるように上部構造Ｇの型枠が組まれ、当該型枠上にコンクリート１０１が打設されることによって、図７に示すように緩衝材５０の周りに上部構造Ｇが設置され、これにより図７に示すようにストッパ２０が設けられた上部構造Ｇと下部構造Ｂとからなる橋梁が構築される。
【００３３】
以上の橋梁用ストッパの設置方法によれば、中空部３５及び中空部３５に連通する開口３２を上面３６に有した棒状体３０並びに棒状体３０の開口３２に連通する貫通孔５１を有していると共に上部構造Ｇの下部構造Ｂに対する相対的な変位に基づく上部構造Ｇの棒状体３０に対する衝突を緩衝すべく当該棒状体３０の上端部３８を覆っている緩衝材５０を具備しているストッパ２０と、緩衝材５０を貫通して棒状体３０の上端部３８に取り外し自在に装着された吊り具としてのアイボルト７０とを具備した組み合わせ体９０を準備し、アイボルト７０に吊り上げ力を与えて組み合わせ体９０を吊り上げ、吊り上げた組み合わせ体９０の棒状体３０を下部構造Ｂに予め形成された凹所としての箱抜き穴Ｈに挿入し、棒状体３０及び箱抜き穴Ｈ間の空間Ｚにコンクリート１０１等からなる充填材を充填することにより棒状体３０を下部構造Ｂに設置し、棒状体３０を下部構造Ｂに設置する際又は棒状体３０を下部構造Ｂに設置した後に、貫通孔５１及び開口３２を介して棒状体３０の中空部３５にコンクリート１０１を打設し、棒状体３０の中空部３５へのコンクリート打設後、アイボルト７０を棒状体３０の上端部３８から取り外して、緩衝材５０の周りに上部構造Ｇを設置するために、ストッパ２０を上下反転させないで緩衝材５０及び棒状体３０の貫通孔５１及び開口３２を介して中空部３５にコンクリート１０１を打設することができ、棒状体３０の上端部３８に設けられた緩衝材５０の損傷や棒状体３０に施された錆止め用の塗装の損傷等を防止することができ、棒状体３０の下部構造Ｂへの設置の際や当該設置後に、棒状体３０の中空部３５にコンクリート１０１を打設することで、棒状体３０の中空部３５に未だコンクリート１０１が打設されていない軽量なストッパ２０をアイボルト７０を介して吊り上げることができる結果、高所での作業、狭いスペースでの作業及び大重量物の吊り上げ作業等を回避でき、組み合わせ体９０の吊り上げ運搬用に用意する重機の小型化を図ることができ、組み合わせ体９０の吊り上げ作業や棒状体３０の据付高さの水平位置を設定して当該棒状体３０を下部構造Ｂに固定する作業を容易に行うことができ、しかも、コンクリート打設時の転倒の虞がなく、棒状体３０の中空部３５へのコンクリート打設時における棒状体３０の転倒を防止するための治具等を準備する必要をなくし得、而して、簡単に且つ速やかに施工することができる。また、アイボルト７０が緩衝材５０を貫通して棒状体３０の上端部３８に取り外し自在に装着されているために、棒状体３０の下部構造Ｂへの設置後であって上部構造Ｇの緩衝材５０の周りへの設置前にアイボルト７０を棒状体３０から容易に取り外すことができることからも、簡単に且つ速やかに施工することができる。
【００３４】
本例の橋梁用ストッパの設置方法によれば、棒状体３０の箱抜き穴Ｈへの挿入後であって空間Ｚへのコンクリート１０１等からなる充填材の充填前若しくは充填後に又は充填材の充填と併行して、貫通孔５１及び開口３２を介して棒状体３０の中空部３５にコンクリート１０１を打設するために、ストッパ２０のより速やかな施工を行い得る。
【００３５】
本例の橋梁用ストッパの設置方法によれば、棒状体３０の上端部３８には、少なくとも二つの吊り具としてのアイボルト７０が装着されており、二つのアイボルト７０は、貫通孔５１を間にして互いに対向しているために、組み合わせ体９０の吊り上げ時等における緩衝材５０及び棒状体３０並びにスポンジゴム４０の相互の位置ずれを確実に防止し得ると共に、組み合わせ体９０の吊り上げをも容易に行い得る。
【図面の簡単な説明】
【００３６】
【図１】本発明の実施の形態の例において準備する組み合わせ体の側面説明図である。
【図２】図１に示す例の他の側面説明図である。
【図３】図１に示す例のＩＩＩ−ＩＩＩ線断面矢視説明図である。
【図４】図１に示す例のＩＶ−ＩＶ線断面矢視説明図である。
【図５】図１に示す例の設置に関する説明図である。
【図６】図１に示す例の設置に関する一部拡大説明図である。
【図７】図１に示す例の設置に関する説明図である。
【図８】（ａ）及び（ｂ）の夫々は、従来の橋梁用ストッパの側面説明図である。
【図９】図８の（ａ）及び（ｂ）に示す橋梁用ストッパの平面断面説明図である。
【図１０】図８の（ａ）及び（ｂ）に示す橋梁用ストッパの設置に関する一部拡大説明図である。
【図１１】図８の（ａ）及び（ｂ）に示す橋梁用ストッパの設置に関する説明図である。
【符号の説明】
【００３７】
２０  ストッパ
３０  棒状体
３２  開口
３５  中空部
４０  スポンジゴム
４１  連通孔
５０  緩衝材
５１  貫通孔
７０  アイボルト
９０  組み合わせ体
【図１】
2006152651.tif 000003
【図２】
2006152651.tif 000004
【図３】
2006152651.tif 000005
【図４】
2006152651.tif 000006
【図５】
2006152651.tif 000007
【図６】
2006152651.tif 000008
【図７】
2006152651.tif 000009
【図８】
2006152651.tif 000010
【図９】
2006152651.tif 000011
【図１０】
2006152651.tif 000012
【図１１】
2006152651.tif 000013